(57)【要約】【課題】ペンを収納して備える筐体の薄型化を実現する。【解決手段】電子部品が実装された基板８を内蔵する筐体１にペンＰを収納して備える電子機器のペン収納構造であって、基板８のペンＰの収納部７に切欠部８１を形成し、基板８に実装される部品の一部を切欠部８１内に配置する。具体的には、筐体１のペンＰの収納部７に隣接して電池収納部６が設けられ、電池収納部６にばね部を位置させて基板８に実装する電池ばね６１の一部が切欠部８１に配置されている。【選択図】図３
2010165215.tif 000002
【特許請求の範囲】
【請求項１】
電子部品が実装された基板を内蔵する筐体にペンを収納して備える電子機器のペン収納構造であって、
前記基板の前記ペンの収納部に切欠部を形成し、
前記基板に実装される部品の一部を前記切欠部内に配置したことを特徴とする電子機器のペン収納構造。
【請求項２】
前記基板の前記ペンの収納部に沿って複数の前記切欠部が形成されおり、
前記基板に実装される複数の部品の一部が前記複数の切欠部内にそれぞれ配置されていることを特徴とする請求項１に記載の電子機器のペン収納構造。
【請求項３】
前記筐体の前記ペンの収納部に隣接して電池収納部が設けられ、
前記電池収納部にばね部を位置させて前記基板に実装する電池ばねの一部が第１の前記切欠部に配置されていることを特徴とする請求項２に記載の電子機器のペン収納構造。
【請求項４】
前記基板に実装するアース部材の一部が第２の前記切欠部に配置されていることを特徴とする請求項２または３に記載の電子機器のペン収納構造。
【請求項５】
前記ペンの一部を保持するペンホルダーの一部が第３の前記切欠部に配置されていることを特徴とする請求項２から４のいずれか一項に記載の電子機器のペン収納構造。
【発明の詳細な説明】
【技術分野】
【０００１】
本発明は、電子機器のペン収納構造に関する。
【背景技術】
【０００２】
携帯型電子機器において、筐体の電池収納部に隣接して入力ペンを収納して備えるようにしたものがある（例えば特許文献１、２参照）。
なお、電池収納部に隣接する筐体内部には、電池ばね、アース部材、ペン固定用のペンホルダーが配置されて回路基板に実装されている。
【先行技術文献】
【特許文献】
【０００３】
【特許文献１】特開２００８−１４０６４８号公報
【特許文献２】特開２００３−１９６０１３号公報
【発明の概要】
【発明が解決しようとする課題】
【０００４】
しかし、回路基板上の電池ばね、アース部材、ペンホルダーに重ねて入力ペンが収納されることから、筐体の薄型化の限界となっていた。
【０００５】
本発明の課題は、ペンを収納して備える筐体の薄型化を実現することである。
【課題を解決するための手段】
【０００６】
以上の課題を解決するため、請求項１に記載の発明は、電子部品が実装された基板を内蔵する筐体にペンを収納して備える電子機器のペン収納構造であって、前記基板の前記ペンの収納部に切欠部を形成し、前記基板に実装される部品の一部を前記切欠部内に配置したことを特徴とする。
【０００７】
請求項２に記載の発明は、請求項１に記載の電子機器のペン収納構造であって、前記基板の前記ペンの収納部に沿って複数の前記切欠部が形成されおり、前記基板に実装される複数の部品の一部が前記複数の切欠部内にそれぞれ配置されていることを特徴とする。
【０００８】
請求項３に記載の発明は、請求項２に記載の電子機器のペン収納構造であって、前記筐体の前記ペンの収納部に隣接して電池収納部が設けられ、前記電池収納部にばね部を位置させて前記基板に実装する電池ばねの一部が第１の前記切欠部に配置されていることを特徴とする。
【０００９】
請求項４に記載の発明は、請求項２または３に記載の電子機器のペン収納構造であって、前記基板に実装するアース部材の一部が第２の前記切欠部に配置されていることを特徴とする。
【００１０】
請求項５に記載の発明は、請求項２から４のいずれか一項に記載の電子機器のペン収納構造であって、前記ペンの一部を保持するペンホルダーの一部が第３の前記切欠部に配置されていることを特徴とする。
【発明の効果】
【００１１】
本発明によれば、ペンを収納して備える筐体の薄型化を実現することができる。
【図面の簡単な説明】
【００１２】
【図１】本発明を適用した電子機器の一実施形態の構成を示すもので、電子辞書の使用状態例を示した斜視図である。
【図２】図１の第１の筐体内の要部を示した図である。
【図３】図２の矢印Ａ−Ａ線に沿った断面図である。
【図４】図３の基板部及びその近傍の平面図である。
【図５】図２の矢印Ｂ−Ｂ線に沿った断面図である。
【図６】図５の基板部の平面図である。
【発明を実施するための形態】
【００１３】
以下、図を参照して本発明を実施するための形態を詳細に説明する。
（実施形態）
図１は本発明を適用した電子機器の一実施形態の構成として電子辞書の使用状態例を示したもので、１は第１の筐体、２は第２の筐体、３はヒンジ部、４は操作部、５は表示部である。
【００１４】
図示のように、第１の筐体１と第２の筐体２はヒンジ部３を介して折り畳み可能（開閉可能）に結合されており、第１の筐体１に操作部４が設けられて、第２の筐体２に表示部５が設けられている。操作部４は、複数のキーからなるキー入力部とタッチパネルからなる手書き入力を有しており、手書き入力に使用するペンは第１の筐体１の底面側に設けられるペン収納部に収納される。
【００１５】
図２は、ヒンジ部３付近を底面側から見た第１の筐体１内の要部を示したもので、図３は図２の矢印Ａ−Ａ線に沿った断面を示しており、６は電池収納部、７はペン収納部、８はキー基板、９はペンホルダー、Ｐは入力ペン、Ｓはスペーサである。
【００１６】
図示のように、第１の筐体１のヒンジ部３に沿った部分には、左右のヒンジボス３１間に位置する電池収納部６が形成され、この電池収納部６と隣接するようにしてペン収納部７が形成されている。図示例において、電池収納部６は上ケース１２の端部を膨出して形成され、ペン収納部７は入力ペンＰの長さに対応してペンの外径を包むように下ケース１１を膨出して形成されている。なお、ペン収納部７は下ケース１１の一端面に開口しており、その開口から入力ペンＰを挿入して収納する。
【００１７】
また、第１の筐体１を構成する下ケース１１及び上ケース１２間の内部には、メイン基板８と前記操作部４のキー基板４１等が内蔵されている。図示例では、メイン基板８のペン収納部７に沿った部分にテープ状のスペーサＳが貼り付けられている。スペーサＳは、ペンＰがペン収納部７に対し挿入、抜出される際に基板８の表面を直接摺動することを防止している。そして、このテープ状のスペーサＳで一部が隠されるようにして電池ばね６１及びアース部材３２が設けられている。
【００１８】
すなわち、メイン基板８のペン収納部７に沿った一端側部分には、図４に示すように、端部に開放されたスリット状をなす第１の切欠部８１と第２の切欠部８２が離間して平行に形成されている。第１の切欠部８１には、電池収納部６にばね部を位置させてメイン基板８に実装した電池ばね６１の中間部が、挿入された入力ペンＰを回避するように、ペン収納部７に対応する部分で屈曲されて配置される。同様に、第２の切欠部８２には、メイン基板８に実装したアース部材３２の中間部が、挿入された入力ペンＰを回避するように、ペン収納部７に対応する部分で屈曲されて配置されている。アース部材３２は、そのばね部がヒンジアーム３３に圧接される。
【００１９】
また、図５は図２の矢印Ｂ−Ｂ線に沿った断面を示したもので、Ｅは電池である。
【００２０】
メイン基板８のペン収納部７に沿った一端側部分には、図６に示すように、四角い開口による第３の切欠部８３が形成されている。この第３の切欠部８３には、ペンホルダー９の端部が配置されている。このペンホルダー９は、ペン収納部７に挿入される入力ペン７の先端部外周の係止溝に係止する一対の係止突起９１を有するものである。
【００２１】
以上、実施形態の電子辞書によれば、メイン基板８に形成した第１から第３の切欠部８１・８２・８３を利用して電池ばね６１、アース部材３２及びペンホルダー９の一部を配置したので、入力ペンＰを収納して備える第１の筐体１の薄型化を実現することができる。
【００２２】
すなわち、メイン基板８のペン収納部７に沿った部分に、端部に開放されたスリット状をなす第１の切欠部８１及び第２の切欠部８２と四角い開口による第３の切欠部８３を形成し、その第１の切欠部８１に電池ばね６１の中間部、第２の切欠部８２にアース部材３２の中間部をそれぞれ配置して、第３の切欠部８３にペンホルダー９の端部を配置したので、下ケース１１に形成されるペン収納部７の膨出量を、メイン基板８の厚みに対応した分だけ小さくして、第１の筐体１を薄型化することができる。
【００２３】
（変形例）
なお、以上の実施形態においては、電子辞書としたが、本発明はこれに限定されるものではなく、カメラ、ＰＤＡ、ノートパソコン、ウェアラブルパソコン、電卓、電子手帳、携帯電話などの機器全てに用いることができる。
また、ペン形状や切欠形状等も任意であり、その他、具体的な細部構造等についても適宜に変更可能であることは勿論である。
【符号の説明】
【００２４】
１  第１の筐体
１１  下ケース
１２  上ケース
２  第２の筐体
３  ヒンジ部
３１  ヒンジボス
３２  アース部材
３３  ヒンジアーム
４  操作部
４１  キー基板
５  表示部
６  電池収納部
６１  電池ばね
７  ペン収納部
８  メイン基板
８１  第１の切欠部
８２  第２の切欠部
８３  第３の切欠部
９  ペンホルダー
９１  係止突起
Ｅ  電池
Ｐ  ペン
Ｓ  スペーサ
【図１】
2010165215.tif 000003
【図２】
2010165215.tif 000004
【図３】
2010165215.tif 000005
【図４】
2010165215.tif 000006
【図５】
2010165215.tif 000007
【図６】
2010165215.tif 000008